(57)【要約】      （修正有）【課題】釣り場でも狙った魚の活性に合わせて揺動を調整することができるネクタイを提供する。【解決手段】疑似餌に用いられる長尺なネクタイ８であって、長手方向に延びるミシン目１８が入れられている。ネクタイは、長手方向の中間部から延びる一方及び他方のネクタイ本体を有し、ネクタイ本体の少なくとも一方は、長手方向の中間部から一定の幅で直線状に延びる直線部と、直線部の端部に連続する湾曲形状の湾曲部と、を含む。釣りの途中であっても魚の食い気に応じてミシン目を切断して揺動状態を調整できる。【選択図】図１
0003220614.tif 000002
【実用新案登録請求の範囲】
【請求項１】
疑似餌に用いられる長尺なネクタイであって、
長手方向に延びるミシン目が入れられている、ことを特徴とするネクタイ。
【請求項２】
前記ネクタイは、長手方向の中間部から延びる一方及び他方のネクタイ本体を有し、
前記一方及び他方のネクタイ本体の少なくとも一方は、
長手方向の中間部から一定の幅で直線状に延びる直線部と、
前記直線部の端部に連続する湾曲形状の湾曲部と、を含む、
請求項１に記載のネクタイ。
【請求項３】
前記ネクタイは、長手方向の中間部から延びる一方及び他方のネクタイ本体を有し、
前記一方及び他方のネクタイ本体の少なくとも一方は、
長手方向の中間部から両端に向かって幅が広がりながら延びる一対の拡幅部と、
前記拡幅部の端部に連続する、幅が狭まりながら延びる一対の狭幅部と、を含む、
請求項１に記載のネクタイ。
【請求項４】
前記ネクタイは、長手方向の中間部から延びる一方及び他方のネクタイ本体を有し、
前記一方のネクタイ本体と、他方のネクタイ本体とは異なる形状である、請求項１に記載のネクタイ。
【請求項５】
前記ミシン目は、切残し部と、切込部とが交互に並んでおり、
前記切込部の長さは、前記切残し部の長さよりも長い、請求項１〜４の何れか１項に記載のネクタイ。
【請求項６】
請求項１〜５の何れか１項に記載のネクタイを含む、疑似餌。
【考案の詳細な説明】
【技術分野】
【０００１】
本考案は、疑似餌に用いられる長尺なネクタイ及びこのネクタイを用いた疑似餌に関する。
【背景技術】
【０００２】
従来より、鯛釣りに用いられる疑似餌としてカブラやタイラバなどと称されるものが用いられている。このような疑似餌は、例えば、特許文献１に記載されているように錘と、釣り竿から延びる釣り糸に取り付けられた錘（ヘッド）と、錘の後方に取り付けられた釣り針と、ネクタイとを備えている。ネクタイは、海水中において水の流れにより揺動する。鯛はこのように揺動したネクタイを餌と間違えて誘引され、釣り針により対を吊り上げることができる。
【先行技術文献】
【特許文献】
【０００３】
【特許文献１】実用新案登録第３２１２５３３号
【考案の概要】
【考案が解決しようとする課題】
【０００４】
魚の食い気（活性）は水深、水温、潮流などの要因によって変化し、狙っている魚の活性に合わせて疑似餌の揺動を調整することが好ましい。しかしながら、例えば、特許文献１に記載されているような疑似餌のネクタイは、一度、釣り糸に取り付けてしまうと、釣り場で交換しようとしても手間がかかるという問題があった。
【０００５】
本考案は、上記の問題に鑑みなされたものであり、その目的は、釣り場でも狙った魚の活性に合わせて揺動を調整することができるネクタイを提供することである。
【課題を解決するための手段】
【０００６】
本考案のネクタイは、疑似餌に用いられる長尺なネクタイであって、長手方向に延びるミシン目が入れられている、ことを特徴とする。
上記構成の本考案によれば、ネクタイにミシン目が設けられているため、釣りの途中であってもタイの食い気に応じてミシン目を切断して揺動状態を調整できる。
【０００７】
本考案において、好ましくは、ネクタイは、長手方向の中間部から延びる一方及び他方のネクタイ本体を有し、一方及び他方のネクタイ本体の少なくとも一方は、長手方向の中央から一定の幅で直線状に延びる直線部と、直線部の端部に連続する湾曲形状の湾曲部と、を含む。
上記構成の本考案によれば、ネクタイの湾曲部が海流を受けやすくなり、揺動しやすくなる。
【０００８】
本考案において、好ましくは、ネクタイは、長手方向の中間部から延びる一方及び他方のネクタイ本体を有し、一方及び他方のネクタイ本体の少なくとも一方は、長手方向の中間部から両端に向かって幅が広がりながら延びる一対の拡幅部と、拡幅部の端部に連続する、幅が狭まりながら延びる一対の狭幅部と、を含む。
上記構成の本考案によれば、ネクタイの拡幅部が海流を受けやすくなり、揺動しやすくなる。
【０００９】
本考案において、好ましくは、ネクタイは、長手方向の中間部から延びる一方及び他方のネクタイ本体を有し、一方のネクタイ本体と、他方のネクタイ本体とは異なる形状である。
上記構成の本考案によれば、海流を受けたネクタイが不規則に揺動しやすくなる。
【００１０】
本考案において、好ましくは、ミシン目は、切残し部と、切込部とが交互に並んでおり、切込部の長さは、切残し部の長さよりも長い。
上記構成の本考案によれば、ハサミ等の刃物を使うことなく、ネクタイを手作業で容易に切り裂くことができる。
【００１１】
本考案の疑似餌は、上記のネクタイを含む。
【考案の効果】
【００１２】
本考案によれば、釣り場でも狙った魚の活性に合わせて揺動を調整することができるネクタイを提供することができる。
【図面の簡単な説明】
【００１３】
【図１】本考案の第１実施形態によるネクタイを含むタイラバの構成を示す正面図である。
【図２】図１に示すタイラバのネクタイを示す平面図である。
【図３】ネクタイのミシン目を中間部まで切り裂いたタイラバの構成を示す正面図である。
【図４】ネクタイのミシン目を取付部材近傍まで切り裂いたタイラバの構成を示す正面図である。
【図５】本考案の第２実施形態によるネクタイを含むタイラバの構成を示す正面図である。
【図６】ネクタイ本体の形状が同じ場合のネクタイを示す平面図である。
【図７】本考案の第３実施形態によるネクタイを含むタイラバの構成を示す正面図である。
【考案を実施するための形態】
【００１４】
以下、本考案の第１実施形態によるタイラバについて図面を参照して説明する。
図１は、本考案の第１実施形態によるネクタイを含むタイラバの構成を示す正面図である。タイラバ１は、タイなどを釣るための疑似餌である。図１に示すように、第１実施形態によるタイラバ１は、リーダー２に取り付けられたヘッド４と、リーダー２に接続された取付部材６と、取付部材６に接続されたネクタイ８と、取付部材６に接続されたハリス１２と、ハリス１２の先端に取り付けられた一対の針１０と、を備える。なお、本実施形態では、取り付けていないが、取付部材６にスカートを取り付けてもよい。
【００１５】
ヘッド４は、例えば、鉛やタングステンなどの錘であり、円形状に形成されている。ヘッド４は、偏心して形成された挿通孔を備えており、挿通孔にはリーダー２が挿通している。ヘッド４はリーダー２に対して固定してもよいし、リーダー２に対して遊動可能であってもよい。
【００１６】
取付部材６は、芯材６Ａと、芯材６Ａの周囲に取り付けられた円環状のバンド部材６Ｂとからなる。芯材６Ａは例えば、プラスチックからなり、バンド部材６Ｂは、弾性変形可能な部材、例えばゴムからなる。ネクタイ８やハリス１２は、芯材６Ａとバンド部材６Ｂとの間にその一部を挟み込むことにより、取付部材６に取り付けられている。
ハリス１２はリーダー２よりも径が小さい釣り糸からなり、その先端に針１０が接続されている。
【００１７】
図２は、図１に示すタイラバのネクタイを示す平面図である。図２に示すように、ネクタイ８は、例えば、シリコン製のシート状の部材であり、いわゆるカーリータイプのネクタイである。ネクタイ８は、中間部から両側に向かって真っすぐに延びる直線部１４Ａ、１４Ｂと、直線部１４Ａ、１４Ｂの端部から円弧状に湾曲して延びる湾曲部１６Ａ、１６Ｂを有する。また、ネクタイ８には、幅方向の中央にミシン目１８が設けられている。ミシン目１８は、切込部と、切残し部とが交互に形成されてなる。本実施形態では、切込部の長さは５ｍｍ程度であり、切残し部の長さは１ｍｍ程度であり、切込部の長さが切残し部よりも長くなっている。本実施形態では、ネクタイ８の長手方向中央の部分が取付部材６に固定されている。なお、本実施形態では、ネクタイ８の長手方向中央に取付部材６に固定される中間部が設けられており、中間部から延びる直線部１４Ａ及び湾曲部１６Ａからなる一方のネクタイ本体は、中間部から延びる直線部１４Ｂ及び湾曲部１６Ｂからなる他方のネクタイ本体と同形状になっている。
【００１８】
タイラバ１を海中に投下し、釣り糸を巻き上げると、海流によりネクタイ８が揺動する。このように揺動するネクタイ８にタイが誘引され、タイを釣り上げることができる。ここで、タイの食い気（活性）は、水深、水温、潮流などの要因によって変化し、ネクタイがタイの食い気に合わせて揺動を調整しなければならない。
【００１９】
このような場合には、釣り人は、例えば、図３に示すように、ネクタイ８のミシン目１８を中間部まで切り裂く。これにより、ネクタイ８の先端部がそれぞれ分岐して延びる構成となる。これにより、ネクタイ８の海中における揺動状態が変化する。
【００２０】
上記の通り、ネクタイ８を切断しても依然として釣果がいまいちの場合には、さらに、図４に示すように、ネクタイ８のミシン目１８を取付部材６近傍まで切り裂く。これにより、ネクタイ８は中間部近傍までそれぞれ分岐して延びる構成となる。これにより、ネクタイ８の海中における揺動状態がさらに変化する。
【００２１】
以上説明したように、本実施形態によれば、以下の効果が奏される。
本実施形態では、ネクタイ８にミシン目１８が設けられているため、釣りの途中であっても、タイの食い気に応じてミシン目１８を切断して揺動状態を調整することができる。
【００２２】
また、本実施形態では、ネクタイ８が一対の直線部１４Ａ、１４Ｂと湾曲部１６Ａ、１６Ｂとを含む。これにより、湾曲部１６Ａ、１６Ｂが海流を受けやすくなり、ネクタイ８が揺動しやすくなる。
【００２３】
また、本実施形態では、ミシン目１８が切残し部と、切込部とが交互に並んでおり、切込部の長さは、切残し部の長さよりも長い。これにより、釣り人はシリコン製のタイラバ１を容易に切り裂くことができる。
【００２４】
なお、上記実施形態では、中間部から延びる直線部１４Ａ及び湾曲部１６Ａからなる一方のネクタイ本体は、中間部から延びる直線部１４Ｂ及び湾曲部１６Ｂからなる他方のネクタイ本体と同形状になっている場合について説明したが、これに限らず、例えば湾曲部１６Ａ、１６Ｂの曲率を変えるなどして、一方及び他方のネクタイ本体を異なる形状としてもよい。
【００２５】
以下、本考案の第２実施形態によるタイラバについて図面を参照して説明する。なお、第１実施形態と同様の構成については、同じ符号を付して詳細な説明を省略する。
図５は、本考案の第２実施形態によるネクタイを含むタイラバの構成を示す正面図である。同図に示すように、第２実施形態によるタイラバ１０１は、リーダー２に取り付けられたヘッド４と、リーダー２に接続された取付部材６と、取付部材６に接続されたネクタイ１０８と、取付部材６に接続されたハリス１２と、ハリス１２の先端に取り付けられた一対の針１０と、を備える。第２実施形態のタイラバ１０１は、ネクタイ１０８の構成のみが第１実施形態と異なり、その他の構成は同一である。
【００２６】
ネクタイ１０８は、例えば、シート状のシリコンからなり、いわゆるストレートタイプのネクタイである。ネクタイ１０８は、中間部から延びる一対のネクタイ本体１２０Ａ、１２０Ｂを有する。一方のネクタイ本体１２０Ａは、他方のネクタイ本体１２０Ｂよりも長い。各ネクタイ本体１２０Ａ、１２０Ｂは、それぞれ両端に向かって幅が広がりながら延びる拡幅部１１４Ａ、１１４Ｂと、拡幅部１１４Ａ、１１４Ｂの端部から連続して幅が狭まりながら延びる狭幅部１１６Ａ、１１６Ｂと、を有する。本実施形態では、取付部材６に取り付けられる中間部から延びる一方のネクタイ本体１２０Ａと、他方のネクタイ本体１２０Ｂとは異なる形状になっている。
【００２７】
ネクタイ１０８には、幅方向の中央を長手方向全長にわたって、ミシン目１１８が形成されている。ミシン目１１８は、切込部と、切残し部とが交互に形成されてなる。本実施形態では、切込部の長さは５ｍｍ程度であり、切残し部の長さは１ｍｍ程度であり、切込部の長さが切残し部よりも長くなっている。
【００２８】
タイラバ１０１を海中に投下し、釣り糸を巻き上げると、海流によりネクタイ１０８が揺動する。このように揺動するネクタイ１０８にタイが誘引され、タイを釣り上げることができる。ここで、タイの食い気（活性）は、水深、水温、潮流などの要因によって変化し、ネクタイがタイの食い気に合わせて揺動を調整しなければならない。このような場合には、第１実施形態と同様に、釣り人は、ネクタイ１０８のミシン目１１８を中間部まで、又は、取付部材６の近傍まで切り裂く。これにより、ネクタイ１０８の先端部がそれぞれ分岐して延びる構成となる。これにより、ネクタイ１０８の海中における揺動状態が変化する。
【００２９】
以上説明したように、本実施形態によれば、以下の効果が奏される。
本実施形態では、ネクタイ１０８にミシン目１１８が設けられているため、釣りの途中であっても、タイの食い気に応じてミシン目１１８を切断して揺動状態を変えることができる。
【００３０】
また、本実施形態では、ネクタイ１０８が一対の拡幅部１１４Ａ、１１４Ｂと狭幅部１１６Ａ、１１６Ｂとを含む。これにより、ネクタイ１０８の拡幅部１１４Ａ、１１４Ｂが海流を受けやすくなり、揺動しやすくなる。
【００３１】
また、本実施形態では、ネクタイ本体１２０Ａ、１２０Ｂの形状が非対称であるため、ネクタイ１０８が不規則に揺動する。
【００３２】
また、本実施形態では、ミシン目１１８が切残し部と、切込部とが交互に並んでおり、切込部の長さは、切残し部の長さよりも長い。これにより、釣り人は、ハサミなどの刃物を使うことなく、シリコン製のネクタイ１０８を手作業で容易に切り裂くことができる。
【００３３】
なお、上記の実施形態では、ネクタイ本体１２０Ａ、１２０Ｂの形状が異なる場合について説明したが、本考案はこれに限られない。
【００３４】
図６は、ネクタイ本体の形状が同じ場合のネクタイを示す平面図である。ネクタイ２０８は、例えば、シート状のシリコンからなる。図６に示すように、ネクタイ２０８は中間部から延びる一対のネクタイ本体２２０Ａ、２２０Ｂを有する。一対のネクタイ本体２２０Ａ、２２０Ｂは同形状である。各ネクタイ本体２２０Ａ、２２０Ｂは、それぞれ両端に向かって幅が広がりながら延びる拡幅部２１４Ａ、２１４Ｂと、拡幅部２１４Ａ、２１４Ｂの端部から連続して幅が狭まりながら延びる狭幅部２１６Ａ、２１６Ｂと、を有する。ネクタイ２０８には、幅方向の中央を長手方向全長にわたって、ミシン目２１８が形成されている。ミシン目２１８の形状は上記実施形態と同じである。このような構成によっても、第２実施形態と同様の効果が奏される。
【００３５】
以下、本考案の第３実施形態によるタイラバについて図面を参照して説明する。なお、第１実施形態と同様の構成については、同じ符号を付して詳細な説明を省略する。
図７は、本考案の第３実施形態によるネクタイを含むタイラバの構成を示す正面図である。同図に示すように、第３実施形態によるタイラバ３０１は、リーダー２に取り付けられたヘッド４と、リーダー２に接続された取付部材６と、取付部材６に接続されたネクタイ１０８と、取付部材６に接続されたハリス１２と、ハリス１２の先端に取り付けられた一対の針１０と、を備える。第３実施形態のタイラバ３０１は、ネクタイ３０８の構成のみが第１実施形態と異なり、その他の構成は同一である。
【００３６】
ネクタイ３０８は、例えば、シート状のシリコンからなり、いわゆるストレートタイプのネクタイである。ネクタイ３０８は、中間部から延びる一対のネクタイ本体３２０Ａ、３２０Ｂを有する。一方のネクタイ本体３２０Ａは、他方のネクタイ本体３２０Ｂよりも短く、端部に向かって先細りの形状を有する。他方のネクタイ本体１２０Ｂは、それぞれ端部に向かって幅が広がりながら延びる拡幅部３１４Ｂと、拡幅部３１４Ｂの端部から連続して幅が狭まりながら延びる狭幅部３１６Ｂと、を有する。本実施形態では、取付部材６に取り付けられる中間部から延びる一方のネクタイ本体３２０Ａと、他方のネクタイ本体３２０Ｂとは異なる形状になっている。
【００３７】
ネクタイ３０８には、幅方向の中央を長手方向全長にわたって、ミシン目３１８が形成されている。ミシン目３１８は、切込部と、切残し部とが交互に形成されてなる。本実施形態では、切込部の長さは５ｍｍ程度であり、切残し部の長さは１ｍｍ程度であり、切込部の長さが切残し部よりも長くなっている。
【００３８】
タイラバ３０１を海中に投下し、釣り糸を巻き上げると、海流によりネクタイ３０８が揺動する。このように揺動するネクタイ３０８にタイが誘引され、タイを釣り上げることができる。ここで、タイの食い気（活性）は、水深、水温、潮流などの要因によって変化し、ネクタイがタイの食い気に合わせて揺動を調整しなければならない。このような場合には、第１実施形態と同様に、釣り人は、ネクタイ３０８のミシン目３１８を中間部まで、又は、取付部材６の近傍まで切り裂く。これにより、ネクタイ３０８の先端部がそれぞれ分岐して延びる構成となる。これにより、ネクタイ３０８の海中における揺動状態が変化する。
【００３９】
以上説明したように、本実施形態によれば、以下の効果が奏される。
本実施形態では、ネクタイ３０８にミシン目３１８が設けられているため、釣りの途中であっても、タイの食い気に応じてミシン目３１８を切断して揺動状態を変えることができる。
【００４０】
また、本実施形態では、ネクタイ３０８の他方のネクタイ本体３２０Ｂが拡幅部３１４Ｂと狭幅部３１６Ｂとを含む。これにより、ネクタイ３０８の拡幅部３１４Ｂが海流を受けやすくなり、揺動しやすくなる。
【００４１】
また、本実施形態では、一方及び他方のネクタイ本体３２０Ａ、３２０Ｂが異なる形状であるため、ネクタイ３０８が不規則に揺動する。
【００４２】
また、本実施形態では、ミシン目３１８が切残し部と、切込部とが交互に並んでおり、切込部の長さは、切残し部の長さよりも長い。これにより、釣り人は、ハサミなどの刃物を使うことなく、シリコン製のネクタイ３０８を手作業で容易に切り裂くことができる。
【符号の説明】
【００４３】
１        タイラバ
２        リーダー
４        ヘッド
６        取付部材
６Ａ      芯材
６Ｂ      バンド部材
８        ネクタイ
１０      針
１２      ハリス
１４Ａ    直線部
１４Ｂ    直線部
１６Ａ    湾曲部
１６Ｂ    湾曲部
１８      ミシン目
１０１    タイラバ
１０８    ネクタイ
１１４Ａ  拡幅部
１１４Ｂ  拡幅部
１１６Ａ  狭幅部
１１６Ｂ  狭幅部
１１８    ミシン目
１２０Ａ  ネクタイ本体
１２０Ｂ  ネクタイ本体
２０８    ネクタイ
２１４Ａ  拡幅部
２１４Ｂ  拡幅部
２１６Ａ  狭幅部
２１６Ｂ  狭幅部
２１８    ミシン目
２２０Ａ  ネクタイ本体
２２０Ｂ  ネクタイ本体
３０１    タイラバ
３０８    ネクタイ
３１４Ｂ  拡幅部
３１６Ｂ  狭幅部
３１８    ミシン目
３２０Ａ  ネクタイ本体
３２０Ｂ  ネクタイ本体
【図１】
0003220614.tif 000003
【図２】
0003220614.tif 000004
【図３】
0003220614.tif 000005
【図４】
0003220614.tif 000006
【図５】
0003220614.tif 000007
【図６】
0003220614.tif 000008
【図７】
0003220614.tif 000009